(57)【要約】【課題】この発明は、雨水の浸入を防ぎ、建造物の外壁と基礎の間から、該建造物内部の換気を行うための換気部材に関する。【解決手段】この発明に係る換気部材１は、建造物２の外壁３を支持固定する胴縁４、又は基礎５上方に位置する土台梁６に取付けられ、薄板状の固定板７を有する固定部材８と、該固定部材８の前記建造物２外側面に沿うように着脱自在に固定される嵌着部材９を有する水切り部材１０とを具備する換気部材１であって、前記固定部材８が、弾性を有する部材からなり、前記固定板７の建造物２外側面側に設けられ前記水切り部材１０の前記嵌着部材９の上縁部１１を引掛ける上方引掛部１２と、前記嵌着部材９の下縁部１３を引掛ける下方引掛部１４とを具備すると共に、前記水切り部材１０が、前記嵌着部材９から建造物２の外壁３の外側に迫出し下端部１５が前記固定板７の下方引掛部１４よりも下方となるように成形された覆い部１６を具備している。【選択図】図１
2008144515.tif 000002
【特許請求の範囲】
【請求項１】
建造物の外壁を支持固定する胴縁、又は基礎上方に位置する土台梁に取付けられる、薄板状の固定板を有する固定部材と、該固定部材の前記建造物外側面に沿うように着脱自在に固定される嵌着部材を有する水切り部材とを具備する換気部材であって、
前記固定部材が、弾性を有する部材からなり、前記固定板の建造物外側面側に設けられ前記水切り部材の前記嵌着部材の上縁部を引掛ける上方引掛部と、前記嵌着部材の下縁部を引掛ける下方引掛部とを具備すると共に、
前記水切り部材が、前記嵌着部材から建造物の外壁の外側に迫出し下端部が前記固定板の下方引掛部よりも下方となるように成形された覆い部を具備することを特徴とする換気部材。
【請求項２】
前記固定板、及び前記嵌着部材が、それぞれ対応する位置に貫通する換気口を具備することを特徴とする請求項１記載の換気部材。
【請求項３】
前記固定部材が、前記建造物の基礎上面に当接し前記固定板から該建造物内側方向に延出する当接支持部を具備することを特徴とする請求項１又は２記載の換気部材。
【請求項４】
前記当接支持部に換気口が設けられたことを特徴とする請求項３記載の換気部材。
【請求項５】
前記固定板の下方が折曲され、前記建造物の基礎の角部に当接する当接段部を具備することを特徴とする請求項１又は２記載の換気部材。
【発明の詳細な説明】
【技術分野】
【０００１】
この発明は、雨水の浸入を防ぎ、建造物の外壁と基礎の間から、該建造物内部の換気を行うための換気部材に関する。
【背景技術】
【０００２】
従来、日本の建造物において、夏季には建造物内部の温度が高温となることから、その周辺を構成する木材の含水率が極端に低下することにより該木材の耐久性を低下させ、また、冬季には建造物内部に結露が発生し、その周辺を構成する木材及び金属製の金具等を腐食させるという問題が生じていた。そのため、建造物の基礎と外壁の間には建造物の内外の空気を行き来することができるように、換気口が設けられている。しかし、日本の雨が多いという気候風土上、前記換気口から雨水が浸入する等の問題が生じていた。
【０００３】
これらの問題を解決すべく、図１９に示すような、水切り材１０１が外装材１０２の建造物内側面に取付けられている。そして、前記水切り材１０１は、その取付部１０３によって外装材１０２に取付けられ、水切り材１０１で雨水の侵入を防ぐと共に、基礎１０４とパッキン１０５によって該基礎１０４と離間して設けられた土台１０６の間の空間１０７の換気を行い鼠の侵入を防ぐための防鼠部１０８に設けられた通気孔１０９を有する。さらに、外装材１０２と前記土台１０６の間の空間１０７の換気を行い虫の侵入を防ぐための防虫部１１０に設けられた通気孔１１１を具備し、矢印Ｘのような経路で建造物外部の空気を建造物内部に取入れる床下換気工法用の水切り材１０１が考案されている（例えば特許文献１）。
【０００４】
【特許文献１】特開２００２−３０９６８５号公報
【発明の開示】
【発明が解決しようとする課題】
【０００５】
しかし、上述したような従来の水切り材１０１は、図１９に示すように、全体が一体となるように成形され、外装材１０２の建造物内側面に取付けられている。そのため、水切り材１０１が外装材１０２に取付けられ、該外装材１０２が、その建造物内側の胴縁等に固定された後には、再び該水切り材１０１を取外すことは困難である。しかし、外装材１０２が胴縁等に固定された後にも、その周辺の施工を行ったり、また、建築資材や、足場の撤去等が行われることが頻繁にあり、その際に、建築資材が水切り材１０１にぶつかる等して該水切り材１０１が破損することがある。しかし、再び水切り材１０１を取外すには、再度外装材１０２を取外す必要があるため、これらの工程に時間を要し施工計画が遅延するという問題が生じる可能性がある。
【０００６】
また、建造物が施工されてから、長い年月が経過するにつれ、水切り材１０１は風雨に晒され、該水切り材１０１を構成する板金の劣化に伴い、ひび割れが生じ建造物内に雨水が進入したり、板金の塗装が剥れる、若しくは錆びる等して建造物全体の外観を損なうという問題が生じる可能性がある。そういった際にも、水切り材１０１を取替える場合には、外装材１０２を取外す必要があり、施工費用が高くなると共に、施工に時間を要するといった問題が生じる可能性がある。
【０００７】
この発明は上記のような種々の課題を解決することを目的としてなされたものであって、雨水の浸入を防ぎ、建造物の外壁と基礎の間から、該建造物内部の換気を行うと共に、建造物の施工過程による破損、若しくは経時的な劣化の際にも容易に取替えることができる換気部材に関する。
【課題を解決するための手段】
【０００８】
上記目的を達成するために、請求項１記載の換気部材は、建造物の外壁を支持固定する胴縁、又は基礎上方に位置する土台梁に取付けられる、薄板状の固定板を有する固定部材と、該固定部材の前記建造物外側面に沿うように着脱自在に固定される嵌着部材を有する水切り部材とを具備する換気部材であって、前記固定部材が、弾性を有する部材からなり、前記固定板の建造物外側面側に設けられ前記水切り部材の前記嵌着部材の上縁部を引掛ける上方引掛部と、前記嵌着部材の下縁部を引掛ける下方引掛部とを具備すると共に、前記水切り部材が、前記嵌着部材から建造物の外壁の外側に迫出し下端部が前記固定板の下方引掛部よりも下方となるように成形された覆い部を具備することを特徴としている。
【０００９】
請求項２記載の換気部材は、請求項１の記載に加えて、前記固定板、及び前記嵌着部材が、それぞれ対応する位置に貫通する換気口を具備することを特徴としている。
【００１０】
請求項３記載の換気部材は、請求項１又は２の記載に加えて、前記固定部材が、前記建造物の基礎上面に当接し前記固定板から該建造物内側方向に延出する当接支持部を具備することを特徴としている。
【００１１】
請求項４記載の換気部材は、請求項３の記載に加えて、前記当接支持部に換気口が設けられたことを特徴としている。
【００１２】
請求項５記載の換気部材は、請求項１又は２の記載に加えて、前記固定板の下方が折曲され、前記建造物の基礎の角部に当接する当接段部を具備することを特徴としている。
【発明の効果】
【００１３】
請求項１記載の換気部材によれば、水切り部材の嵌着部材の上縁部を引掛ける上方引掛部と、嵌着部材の下縁部を引掛ける下方引掛部とを具備するので、建造物の胴縁、又は土台梁に取付けられた固定部材に水切り部材が着脱可能となっている。これにより、建造物の外壁が取付けられた後でも、水切り部材を容易に固定部材に着脱することがでるため、建造物の施工が完了した後に、例えば、搬出される建築資材が衝突し水切り部材が破損した際にもその取替えが容易である。さらに、該水切り部材が経時的に劣化した際にも、施工費用が高くなることがなく、また、施工時間がかかるといった問題が生じることなく、容易に水切り部材を取替えることができる。
【００１４】
また、水切り部材が、前記嵌着部材から建造物の外壁の外側に迫出し下端部が前記固定板の下方引掛部よりも下方となるように成形された覆い部を具備するので、横風を伴った雨の際にも、建造物の内部に雨水が浸入することがなく、外部の空気を建造物内部に取入れ換気を行うことができる。また、外壁や建造物内部から流れてきた雨水を建造物外側へ導くことができ、さらに、基礎と土台梁の境界等を外見上見えないように隠すことができるため、建造物の外観が向上する。
【００１５】
請求項２記載の換気部材によれば、固定板、及び嵌着部材が、それぞれ対応する位置に貫通する換気口を具備するので、該換気口を介して、例えば、外壁と土台梁との間の空間や、パッキンを介して基礎と土台梁の間に形成された通気空間等へ外気を導入することができるため、建造物内部の換気を効率的に行うことができる。
【００１６】
請求項３記載の換気部材によれば、固定部材が、建造物の基礎上面に当接し固定板から該建造物内側方向に延出する当接支持部を具備するので、建造物の構造上、基礎の建造物外側面と固定部材との間に間隔が生じることもあるが、該間隔からの雨水の浸入を防ぐことができる。また、当接支持部は、建造物の基礎上面と当接しているので、固定部材自体も支持され該固定部材を確実に取付けることができ、さらに、その位置決めも容易に行うことができ効率的に施工を行うことができる。
【００１７】
請求項４記載の換気部材によれば、当接支持部に換気口が設けられているので、建造物の構造上、基礎の建造物外側面と固定部材との間に生じた間隔からの雨水の浸入を防ぐことができると同時に、該当接支持部において建造物内部の換気も行うことができる。
【００１８】
請求項５記載の換気部材によれば、固定板の下方が折曲され、建造物の基礎の角部に当接する当接段部を具備するので、基礎と固定部材の間に隙間が生じることなく、換気部材を確実に取付けることができ、また、その位置決めも容易に行うことができるため、効率的に施工を行うことができる。
【発明を実施するための最良の形態】
【００１９】
この発明における換気部材の最良の実施形態について、以下に説明する。この発明の実施形態に係る換気部材１は、図１や図２に示すように、建造物２の外壁３を支持固定する胴縁４、又は基礎５上方に位置する土台梁６に取付けられ、図１１に示すように薄板状の固定板７を有する固定部材８と、図１６に示すように該固定部材８の前記建造物２外側面に沿うように着脱自在に固定される嵌着部材９を有する水切り部材１０とを具備する換気部材１であって、図７に示すように、前記固定部材８が、弾性を有する部材からなり、前記固定板７の建造物２外側面側に設けられ前記水切り部材１０の前記嵌着部材９の上縁部１１を引掛ける上方引掛部１２と、前記嵌着部材９の下縁部１３を引掛ける下方引掛部１４とを具備すると共に、図１に示すように、前記水切り部材１０が、前記嵌着部材９から建造物２の外壁３の外側に迫出し下端部１５が前記固定板７の下方引掛部１４よりも下方となるように成形された覆い部１６を具備している。
【００２０】
そして、必要に応じて、図１２や図１７に示すように、固定板７と嵌着部材９に換気口１７が設けられている。また、固定部材８が、図１３に示すように、建造物２の基礎５上面に当接し固定板７から該建造物２内側方向に延出する当接支持部１８を具備し、図１４に示すように、該当接支持部１８に換気口１９が設けられている。また、図１５に示すように、前記固定板７の下方が折曲され、前記建造物２の基礎５の角部２０に当接する当接段部２１を具備している。
【００２１】
本発明の実施形態に係る建造物２は、例えば、図１に示すよう、基礎５上に土台梁６が設けられ、該土台梁６の建造物２外側方向に胴縁４が設けられ、該胴縁４によって建造物２外側方向に外壁３が支持固定され、胴縁４と外壁３の間には空間２２が形成されている。そして、図２に示すように、基礎５と土台梁６との間にパッキン２３が設けられ換気のための通気空間２４が形成されている場合や、図３に示すように、土台梁６と胴縁４との間に断熱材２５が設けられている場合等がある。しかし、建造物２の構造は本発明の実施形態の構成に限定されるものではなく、適宜変更することが可能である。
【００２２】
第一の実施形態に係る固定部材８は、図１１に示すように、胴縁４、又は土台梁６への取付けに使用する固定板７、及び水切り部材１０の嵌着部材９を着脱自在に固定する上方引掛部１２と下方引掛部１４とを具備し、施工性の観点から、例えば幅方向に２〜３ｍ程度に形成されている。また、固定部材８は、弾性を有する薄板状の板金から形成されることが、強度面、及びコスト面さらには、図１や図２に示すように、外壁３と胴縁４、若しくは胴縁４と土台梁６の間に該固定部材８を取付けた際にも大きな空間が生じず、また、水切り部材１０の着脱の容易性等から好ましい。しかし、材質は、金属製のものに限定されることはなく、樹脂製としてもよく、また、金属製の場合は、耐久性の観点からその表面に防錆加工が施されているか、若しくはステンレス鋼等を使用することが好ましい。そして、固定部材８の幅方向の長さや、肉厚等は使用目的に応じて適宜変更することが可能である。また、固定部材８は、本実施形態のように板金を折り返すように形成することが、その形成が容易で好ましいが、各部材を溶接などによって接合して取付けてもよく、樹脂製である場合には、射出成形等で一体成形されることが成形が容易で好ましい。
【００２３】
固定板７は、図１１に示すように薄板状の板金で略鉛直方向に形成されているが、固定板７の形状は、胴縁４や土台梁６の形状に沿うように形成されていれば、本実施形態の形状に限定されるものではなく、適宜変更することが可能である。また、固定板７には図１１に示すように、予めネジ孔２６が設けられており、その施工過程において、例えば図１や図２に示すように、統一した本数のネジ２７で、固定部材８を胴縁４、又は土台梁６に固定することができるため、確実な強度で該固定部材８を取付けることができ、さらに、作業者がネジ止めの位置や本数を迷うこともないので、施工効率を向上することができる。また、本実施形態においては、ネジ孔２６は図１１に示すように、固定板７を貫通するように形成されている。しかし、固定板７のネジ孔２６が形成される場所は、図１１に示すように、上方引掛部１２を形成するために、板金が二重になっているので、ネジ止めする箇所の目印程度に、該ネジ孔２６が建造物２外側面側の板金だけに形成されていてもよい。
【００２４】
さらに、固定板７には、図１１に示すように、水切り部材１０の嵌着部材９の上縁部１１を引掛ける上方引掛部１２と、嵌着部材９の下縁部１３を引掛ける下方引掛部１４とが設けられている。そして、上方引掛部１２は、固定板７の上端から折返された板金の下端部が建造物２の外側方向に、該固定板７から離反して傾斜するように形成されている。また、上方引掛部１２の下端部、すなわち板金の端部は、該板金の切削の際に鋭利になることがあり、作業者がその施工過程において、手を負傷する可能性があるため折返されている。そして、上方引掛部１２と、固定板７とが下方引掛部１４側になす角は、９０度よりも小さくなるように形成されると共に、水切り部材１０を着脱する際に、容易にその作業ができるように、その角度は適宜変更することが可能である。
【００２５】
さらに、下方引掛部１４は、図１１に示すように、固定板７の下端が建造物２の外側方向に折曲され、断面形状が略への字型となるように形成されている。また、下方引掛部１４の端部、すなわち板金の端部は、前記上方引掛部１２と同様に折返されている。そして、下方引掛部１４と、固定板７とが上方引掛部１２側になす角は、９０度よりも小さくなるように形成されると共に、水切り部材１０を着脱する際に、容易にその作業ができるようにその角度も、適宜選択することが可能である。
【００２６】
第二の実施形態に係る固定部材８は、図１２に示すように、第一の実施形態に係る固定部材８に、固定板７を貫通するように換気口１７ａが設けられている。そして、これらの換気口１７ａは、図１２に示すように、略矩形ものでもよいが、スリット状にしてもよく、さらに該換気口１７ａの形状はこれらに限定されるものではなく、固定板７を貫通し、図８に示すように、水切り部材１０の換気口１７ｂとそれぞれ対応する位置に形成されていれば、適宜変更することが可能である。
【００２７】
第三の実施形態に係る固定部材８は、図１３に示すように、第二の実施形態に係る固定部材８に、建造物２の基礎５上面に当接し固定板７から該建造物２内側方向に延出する当接支持部１８が設けられている。そして、当接支持部１８の建造物２内側の端部は、上述と同様に折返されている。また、建造物２は、例えば、図１に示すように、胴縁４の建造物２外側面に取付けられたり、さらには、図３に示すように、胴縁４の建造物２内側に断熱材が設けられたりすることがあり、基礎５の建造物２外側面から固定部材８までの距離が異なり、基礎５の建造物２外側面と固定部材８の間に間隔が生じるが、当接支持部１８を用いれば当該間隔を塞ぐことができるのである。また、当接支持部１８の長さや、形状、固定板７との角度等は適宜変更することが可能であり、さらに、必要に応じて、図１４に示す、第四の実施形態に係る固定部材８のように、略水平に形成された当接支持部１８を貫通するようにスリット状の換気口１９が設けられている。これらの換気口１９の形状は、該換気口１９から害虫や鼠等の侵入の恐れがあるため、本実施形態のようにスリット状であることが好ましいが、例えば略矩形等のその他の形状であってもよい。
【００２８】
第五の実施形態に係る固定部材８は、図１５に示すように、第二の実施形態に係る固定部材８に、固定板７の下方が折曲され、建造物２の基礎５の角部２０に当接する当接段部２１が設けられている。また、基礎５の角部２０は本実施形態においては、図４に示すように、略直角となっているが、これらの角度は特に限定されるものではなく、また、円弧状であってもよい。そして、当接段部２１も、図１５においては、略直角に形成されているが、該当接支持部１８は、基礎５の角部２０の形状に沿うように形成されていればよく、適宜変更することが可能である。以上のように、本発明の実施形態に係る固定部材８は、換気口１７の有無を始めとして、これらの形状を適宜変更することが可能である。
【００２９】
第一の実施形態に係る水切り部材１０は、図１６に示すように、薄板状の板金から形成される嵌着部材９と、覆い部１６とを具備している。また、水切り部材１０は、強度面、及びコスト面を考慮すると金属製であることが好ましいが、固定部材８と同様に樹脂材料から形成することもでき、また、金属製の場合は、耐久性の観点からその表面に防錆加工が施されているか、若しくはステンレス鋼等を使用することが好ましい。さらに、覆い部１６の外側面は建造物２の外側に位置することから、建造物２の外観を向上させるために、木目調、若しくは外壁３の模様と同様にする等の塗装が施されていることが好ましい。また、水切り部材１０は、本実施形態のように板金を折り返すように形成することが、その形成が容易で好ましいが、各部材を溶接などによって接合して取付けてもよく、樹脂製である場合には、射出成形等で一体成形されることが成形が容易で好ましい。
【００３０】
嵌着部材９は、図１６に示すように、略鉛直方向に形成されており、該嵌着部材９の上縁部１１が固定板７の上方引掛部１２に引掛けられ、該嵌着部材９の下縁部１３が固定板７の下方引掛部１４に引掛けられるようにして、図７に示すように固定部材８の建造物２外側面に沿うように着脱自在に固定されている。また、前述したように嵌着部材９は、固定部材８の建造物２外側面に沿うように形成されており、図１０に示すように、例えば固定板７に当接段部２１が形成されている時には、その形状に応じて、嵌着部材９の対応する場所に段部２８が形成される等して、該嵌着部材９の形状も適宜変更することが可能である。
【００３１】
そして、嵌着部材９の上縁部１１は、図１６に示すように、固定板７の上方引掛部１２に容易に引掛けることができるように、該嵌着部材９の上縁部１１から折返された板金が形成する引掛領域１１ａが設けれている。また、嵌着部材９の下縁部１３は上述のように折返されている。そして、嵌着部材９の上縁部１１、及び下縁部１３の板金が、折返されているため、固定部材８に水切り部材１０を着脱する際に、上方引掛部１２と上縁部１１、及び下方引掛部１４と下縁部１３の摩擦力が軽減され、着脱が容易になる。
【００３２】
覆い部１６は、図１６に示すように、嵌着部材９の上縁部１１から折返された板金が形成する引掛領域１１ａの下端部から、建造物２外側方向に該嵌着部材９から離反し、雨水を建物外側へ案内することができるように、下方に勾配するように形成された傾斜部１６ａと、該傾斜部１６ａの建造物２外側方向の端部から略鉛直下方に垂れ下げるように形成された前垂部１６ｂとから形成されている。そして、胴縁４、又は土台梁６に、固定部材８が取付けられる場合で、それぞれ固定部材８に取付けられた嵌着部材９から外壁３までの距離が異なるため、傾斜部１６ａの長さは適宜変更することが可能である。
【００３３】
また、前垂部１６ｂの下端部１５は、図１に示すように、横風を伴う雨の際にも建造物２内部に雨が浸入しないように、前記下方引掛部１４よりも下方となるように形成されている。そして、前垂部１６ｂは、外壁３よりも建造物２外側となるように形成されているほうが、建造物２内部に雨水が浸入しにくく好ましいが、該前垂部１６ｂは、外壁３よりも建造物２内側に形成されていてもよい。そして、前垂部１６ｂの下端部１５は、上述のように折返されている。また、傾斜部１６ａの勾配、及び長さ、そして、前垂部１６ｂの長さ等は、建造物２の設計や、目的に応じて適宜変更することが可能である。
【００３４】
第二の実施形態に係る水切り部材１０は、図１７に示すように、第一の実施形態に係る水切り部材１０に、嵌着部材９を貫通するように換気口１７ｂが設けれられている。これらの換気口１７ｂは、図１７に示すように、スリット状にしてもよいが、これらの形状は略矩形であってもよく、さらに該換気口１７ｂの形状はこれらに限定されるものではなく、嵌着部材９を貫通し、図８に示すように、固定部材８の換気口１７ａとそれぞれ対応する位置に形成されていれば、適宜変更することが可能である。しかし、固定部材８の換気口１７ａと、水切り部材１０の換気口１７ｂの両方が略矩形である場合には、換気効率は向上するが、害虫や鼠等が侵入する可能性があるため、どちらか一方の換気口１７のみを略矩形となるように形成しておくことが、それぞれ対応する位置に換気口１７を設けやすく好ましい。
【００３５】
第三の実施形態に係る水切り部材１０は、図１８に示すように、第二の実施形態に係る水切り部材１０に、図１５に示す当接段部２１の形状に沿うように段部２８が成形されている。また、段部２８の形状は、本実施形態においては、図１８に示すように、略直角となっているが、これらの形状は、固定板７の形状に沿うように形成されていればよく、適宜変更することが可能である。以上のように、本発明の実施形態に係る水切り部材１０は、換気口１７ｂの有無を始めとして、これらの形状を適宜変更することが可能である。
【００３６】
以上のような、固定部材８と水切り部材１０とを具備する換気部材１の実施形態について、以下に示す。
【００３７】
まず、固定部材８に水切り部材１０を取付ける際には、図７に示すように、水切り部材１０の嵌着部材９の上縁部１１を、若干下方から固定板７の上方引掛部１２に挿入するようにして引掛け、そして、覆い部１６を握持する等して該上縁部１１を中心として下縁部１３を反時計回りに回動させ、略への字型に形成された下方引掛部１４に引掛けるようにするのである。その際には、該下方引掛部１４が略への字型に形成されているので下縁部１３を固定板７方向へ導くことができる。さらに、固定部材８は弾性を有する板金から形成されているので嵌着部材９が該固定部材８に固定される際には、図７に示すように、上方引掛部１２と下方引掛部１４とが弾性変形し嵌着部材９を嵌着するようにして固定するのである。このようにして、例えば、図５や図６に示すように、固定部材８と水切り部材１０とを組み合わせて換気部材１が形成されるのである。また、図７に示すように、嵌着部材９が固定部材８に固定された後も、覆い部１６を握持する等して上縁部１１を中心として下縁部１３を時計回りに回動させることによって、上方引掛部１２と下方引掛部１４とが弾性変形し、水切り部材１０を固定部材８から取外すことができる。また、これらは上述した何れの実施形態の固定部材８に水切り部材１０を取付ける際にも同様である。
【００３８】
そして、図７に示す第一の実施形態に係る換気部材１は、図１１に示す第一の実施形態に係る固定部材８と、図１６に示す第一の実施形態に係る水切り部材１０とを組合わせて使用するものである。これらを、例えば、図１に示すように構成された建造物２の土台梁６の建造物２外側面にネジ２７等で取付けることによって、外壁３と土台梁６との間の空間２２、すなわち胴縁４間に、雨水が浸入することなく、矢印Ａが示すように建造物２の外部の空気を取入れることができるのである。
【００３９】
そして、図８に示す第二の実施形態に係る換気部材１は、図１３に示す第三の実施形態に係る固定部材８と、図１７に示す第二の実施形態に係る水切り部材１０とを組合わせて使用するものである。これらを、例えば、図２に示すように構成された建造物２の胴縁４の建造物２外側面にネジ２７等で取付け、さらに、当接支持部１８を基礎５の上面に当接させることによって、外壁３と土台梁６との間の空間２２、すなわち胴縁４間、及びパッキン２３を介して基礎５と土台梁６との間に形成された通気空間２４に雨水が浸入することなく、矢印Ｂが示すように建造物２の外部の空気を取入れることができるのである。
【００４０】
そして、図９に示す第三の実施形態に係る換気部材１は、図１４に示す第四の実施形態に係る固定部材８と、図１６に示す第一の実施形態に係る水切り部材１０とを組合わせて使用するものである。これらを、例えば、図３に示すように、胴縁４と土台梁６との間に断熱材２５が設けれるようにして構成された建造物２の胴縁４の建造物２外側面にネジ２７等で取付け、さらに、当接支持部１８を基礎５の上面に当接させることによって、外壁３と土台梁６との間の空間２２、すなわち胴縁４間、及びパッキン２３を介して基礎５と土台梁６との間に形成された通気空間２４に雨水が浸入することなく、矢印Ｃが示すように建造物２の外部の空気を取入れることができるのである。
【００４１】
そして、図４に示す第四の実施形態に係る換気部材１は、図１５に示す第五の実施形態に係る固定部材８と、図１８に示す第三の実施形態に係る水切り部材１０とを組合わせて使用するものである。これらを、例えば、図４に示すように構成された建造物２の土台梁６の建造物２外側面にネジ２７等で取付け、さらに、当接段部２１を基礎５の角部２０に当接させることによって、外壁３と土台梁６との間の空間２２、すなわち胴縁４間、及びパッキン２３を介して基礎５と土台梁６との間に形成された通気空間２４に雨水が浸入することなく、矢印Ｄが示すように建造物２の外部の空気を取入れることができるのである。
【００４２】
なお、これらの組合せは、上記したものに限定されることなく、建造物２の構成に応じて適宜、固定部材８と水切り部材１０とを組合わせることができる。そして、以上のように換気部材１を使用することで、雨水の浸入を防ぐことができると共に建造物２の外壁３と基礎５の間から、該建造物２内部の換気を行うことができ、施工完了後も水切り部材１０を容易に交換することができるのである。
【産業上の利用可能性】
【００４３】
この発明の換気部材１は、一般的な家屋はもちろん、木造、鉄筋を問わず、ビルやマンション等にも利用することができる。
【図面の簡単な説明】
【００４４】
【図１】第一の実施形態に係る換気部材の施工全体断面図
【図２】第二の実施形態に係る換気部材の施工全体断面図
【図３】第三の実施形態に係る換気部材の施工全体断面図
【図４】第四の実施形態に係る換気部材の施工全体断面図
【図５】第三の実施形態に係る換気部材の全体斜視図
【図６】第四の実施形態に係る換気部材の全体斜視図
【図７】第一の実施形態に係る換気部材の断面図
【図８】第二の実施形態に係る換気部材の断面図
【図９】第三の実施形態に係る換気部材の断面図
【図１０】第四の実施形態に係る換気部材の断面図
【図１１】第一の実施形態に係る固定部材の斜視図
【図１２】第二の実施形態に係る固定部材の斜視図
【図１３】第三の実施形態に係る固定部材の斜視図
【図１４】第四の実施形態に係る固定部材の斜視図
【図１５】第五の実施形態に係る固定部材の斜視図
【図１６】第一の実施形態に係る水切り部材の斜視図
【図１７】第二の実施形態に係る水切り部材の斜視図
【図１８】第三の実施形態に係る水切り部材の斜視図
【図１９】従来の水切り部材を示す断面図
【符号の説明】
【００４５】
１      換気部材
２      建造物
３      外壁
４      胴縁
５      基礎
６      土台梁
７      固定板
８      固定部材
９      嵌着部材
１０    水切り部材
１１    上縁部
１２    上方引掛部
１３    下縁部
１４    下方引掛部
１５    下端部
１６    覆い部
【図１】
2008144515.tif 000003
【図２】
2008144515.tif 000004
【図３】
2008144515.tif 000005
【図４】
2008144515.tif 000006
【図５】
2008144515.tif 000007
【図６】
2008144515.tif 000008
【図７】
2008144515.tif 000009
【図８】
2008144515.tif 000010
【図９】
2008144515.tif 000011
【図１０】
2008144515.tif 000012
【図１１】
2008144515.tif 000013
【図１２】
2008144515.tif 000014
【図１３】
2008144515.tif 000015
【図１４】
2008144515.tif 000016
【図１５】
2008144515.tif 000017
【図１６】
2008144515.tif 000018
【図１７】
2008144515.tif 000019
【図１８】
2008144515.tif 000020
【図１９】
2008144515.tif 000021